(57)【要約】【課題】  線香を安全に立てることができるとともに、手入れを簡便に行うことのできる線香立ての提供。【解決手段】  有底筒状の容器本体１４と、容器本体１４の開口部における定められた所定位置に被せられる着脱自在な上蓋１２とを具備する線香立て１０であって、容器本体１４の底部に線香の下端部を支持する複数個の受け部が形成されているとともに、上蓋１２には、線香が差し込まれる挿入孔１６が設けられ、挿入孔１６は、上蓋１２を容器本体１４の所定位置に被せた場合に、容器本体１４の受け部から、略鉛直上方へ延長した位置に設けられている。また、上蓋１２における上蓋側主要エリアＸの周囲には、上方へ張り出す立ち上がり部１８、又は、縁部２０が形成されている。【選択図】    図１
0003209158.tif 000002
【実用新案登録請求の範囲】
【請求項１】
有底筒状の容器本体と、該容器本体の開口部における定められた所定位置に被せられる着脱自在な上蓋と、を具備する線香立てであって、  
前記容器本体の底部に線香の下端部を支持する複数個の受け部が形成されているとともに、前記上蓋には、線香が差し込まれる挿入孔が設けられ、
該挿入孔は、該上蓋を該容器本体の所定位置に被せた場合に、該容器本体の前記受け部から、略鉛直上方へ延長した位置に設けられていることを特徴とする線香立て。
【請求項２】
前記容器本体における線香が位置する部分を容器側主要エリア、並びに上蓋における線香が位置する部分を上蓋側主要エリアとした場合に、各主要エリアは、平面視円形、若しくは平面視楕円形に形成されているとともに、これらの容器側主要エリア及び上蓋側主要エリアには、その外側から内側にかけて、複数個の前記挿入孔及び受け部が配列されていることを特徴とする請求項１に記載の線香立て。
【請求項３】
前記上蓋における前記上蓋側主要エリアの周囲には、上方へ張り出す立ち上がり部、又は、縁部が形成されていることを特徴とする請求項１又は２に記載の線香立て。
【請求項４】
前記挿入孔は、その断面が、下すぼまりのテーパー状に形成されていることを特徴とする請求項１〜３のうち、いずれか１項に記載の線香立て。
【考案の詳細な説明】
【技術分野】
【０００１】
本考案は住宅内で線香を立てる場合や、斎場・寺院での葬儀や法要の際に利用可能であり、線香を立ててお参りする場合に使用される線香立てに関する。
【背景技術】
【０００２】
一般に、仏式での葬儀や法事などの際、或いは家庭でのお参りの際には、香炭や線香を使用するが、線香を立ててお参りする宗派の場合、線香用香炉の容器に入った灰の中に線香を立てて、お参りを行う。つまり、線香は灰によって支えられた状態となることから、灰は別途購入するなどして、予め準備しておく必要がある。線香を快適、且つ安全に使用するには容器内の燃え滓を定期的に取り除いたり、灰を篩いにかけてサラサラの状態を維持する等、日頃の手入れが欠かせない。
【０００３】
また、灰は舞い上がりやすい性質があることから、祭壇や仏壇を清潔に保つためには取り扱いに一定の配慮が必要となる。或いは、束状の複数の線香を筒形の容器に挿入して線香を立てるといった場合もあるが、灰を使用した線香用香炉と同様、灰の清掃を余儀なくされていた。
【０００４】
そこで、従来より灰を用いることなく線香を立てることを可能とする線香立て（線香用香炉）が提案されている。その一例として、実開昭５２−６７４９９号公報に記載の考案が公知例として存在する。同公報記載の線香立ては、容器の下部に、線香の下端部が支持される細かな底網を設置するともに、容器の上方に線香の倒れ止めを設けて構成されている。線香の倒れ止めは、針金を網目状にして、線香が通り抜ける大きさの間隙を設けている。線香を立てる際は、倒れ止めの網目に挿通し、下端部を底網に支持させることにより、線香が倒れることを防止しつつ、線香を最後まで完全に燃焼させることができるとされている。
【先行技術文献】
【特許文献】
【０００５】
【特許文献１】実開昭５２−６７４９９号公報
【考案の開示】
【考案が解決しようとする課題】
【０００６】
しかしながら、前述の特許文献１記載の線香立ては、線香を支える部分に金網を使用していることから、使用を繰り返すことによって、線香の熱によって黒ずみや焼け跡が生じ、通常の洗浄では十分に汚れを落とすことができなくなり、清潔に保つのに手間がかかると同時に、見栄えが悪化する課題があった。また、線香の倒れ止めに金網を使用していることから、燃焼時には金網が熱くなり易く、火傷や火災など、不慮の事故が発生することも考えられる。
【０００７】
本考案は前述の諸事情に対処するために提案されたものであって、線香を安全に立てることが可能であるとともに、使用後の手入れを簡便に行うことのできる線香立てを提供することを目的とする。
【課題を解決するための手段】
【０００８】
上記目的を達成するために、請求項１記載の考案は、有底筒状の容器本体と、該容器本体の開口部における定められた所定位置に被せられる着脱自在な上蓋と、を具備する線香立てであって、前記容器本体の底部に線香の下端部を支持する複数個の受け部が形成されているとともに、前記上蓋には、線香が差し込まれる挿入孔が設けられ、該挿入孔は、該上蓋を該容器本体の所定位置に被せた場合に、該容器本体の前記受け部から、略鉛直上方へ延長した位置に設けられていることを特徴としている。
【０００９】
請求項２記載の考案は、上記１項において、前記容器本体における線香が位置する部分を容器側主要エリア、並びに上蓋における線香が位置する部分を上蓋側主要エリアとした場合に、各主要エリアは、平面視円形、若しくは平面視楕円形に形成されているとともに、これらの容器側主要エリア及び上蓋側主要エリアには、その外側から内側にかけて、複数個の前記挿入孔及び受け部が配列されていることを特徴としている。
【００１０】
請求項３記載の考案は、上記１項又は２項において、前記上蓋における前記上蓋側主要エリアの周囲には、上方へ張り出す立ち上がり部、又は、縁部が形成されていることを特徴としている。
【００１１】
請求項４記載の考案は、上記１項〜３項のうち、いずれか１項において、前記挿入孔は、その断面が、下すぼまりのテーパー状に形成されていること特徴とする。
【考案の効果】
【００１２】
上述のように、各請求項記載の考案によれば、上蓋の挿入孔から線香を挿入する際に、容器本体に設けられている受け部は、挿入孔に対し、略鉛直方向の延長上となる位置に設けられていることから、線香をスムーズに立てることが可能である。
また、線香を略鉛直方向に立てることによって、線香の燃焼によって生じる灰が飛散するのを防止することが可能となり、清潔な状態を維持することができる。
さらに、上蓋における上蓋側主要エリアには、上方へ張り出す立ち上がり部又は縁部を形成しているので、これらの立ち上がり部又は縁部の存在により、線香から落下する灰を、上蓋側主要エリア内に止めることが可能となり、より一層、灰の飛散を防止することが可能となる。
【図面の簡単な説明】
【００１３】
【図１】本考案の一実施形態に係る線香立ての全体的な構成を示す斜視図である。
【図２】同じく、本考案の一実施形態に係る線香立ての分解斜視図で、主要構成部材の上蓋と、容器本体とを分離した状態を示している。
【図３】同じく、本考案の一実施形態に係る線香立てを示した図で、このうち、図３（ａ）は、側面図、図３（ｂ）は図３（ａ）のＩＩＩｂ−ＩＩＩｂ線に沿った矢視断面図である。
【図４】同じく、本考案の一実施形態に係る線香立ての平面図で、容器本体に上蓋を被せた状態を示している。
【図５】同じく、本考案の一実施形態に係る線香立ての平面図で、容器本体から上蓋を取り外した状態を示している。
【図６】同じく、本考案の一実施形態に係る線香立ての使用状態を示した斜視図であって、当該線香立てを線香用香炉に収納した状態を示している。
【考案を実施するための最良の形態】
【００１４】
以下、本考案に係る香炉について添付図面を参照して説明する。
図１は本考案の一実施形態に係る線香立ての斜視図、図２は本実施形態の線香立ての分解斜視図、図３（ａ）は本実施形態の線香立ての側面図、図３（ｂ）は図３（ａ）のＩＩＩｂ−ＩＩＩｂ線に沿った矢視断面図、図４は本実施形態の線香立ての平面図である。
【００１５】
図１及び図２に示されるように、本実施形態の線香立て１０は、上蓋１２と、容器本体１４とを備えて構成されている。上蓋１２、容器本体１４の材質は、高温に耐え、且つ、火傷防止の観点から熱伝導率が低い粘土を材料とした陶器が好適に利用されるが、火傷や火災防止の加工が施された樹脂などの素材を使用とすることもできる。陶器製の場合は表面に釉薬がかけられて装飾が施されているとともに、洗浄の際に水が内部に滲み込まないようになっている。
【００１６】
上蓋１２における平面視円形のなす上蓋側主要エリアＸの部分には、線香が差し込まれる挿入孔１６が複数個設けられている。挿入孔１６の数は本実施形態の場合、合計１９個設けられ、各挿入孔１６は平面視六角形状をなしている。各々の挿入孔１６を平面視六角形としたのは、限られた上蓋側主要エリアＸの中に多数の孔を確保するというスペース上の理由に基づいている。
【００１７】
図３（ｂ）に示されるように、各挿入孔１６は、断面が、下方にいくに従い、内径が小さくなる下すぼまりのテーパー状且つ貫通して形成され、焼香時に線香を上蓋１２から容器本体１４内へ、挿入孔１６から挿通して入れやすいようになっている。
なお、本実施形態では、挿入孔１６の形状を六角形としているが、これに限らず、円形や楕円形、他の多角形とすることも可能である。
【００１８】
上蓋１２の上蓋側主要エリアＸの周囲には上方及び下方へ延出する立ち上がり部１８，１８、縁部２０，２０が形成されている。これらのうち、立ち上がり部１８，１８は、縁部２０，２０よりも高くなるように上方へ更に張り出して形成されている。
これらの立ち上がり部１８，１８、縁部２０，２０は、上蓋側主要エリアＸ、挿入孔１６よりも上方側に延出しているため、壁として作用し、燃焼時に線香の先端から落下する灰が、上蓋側主要エリアＸの外側に飛ぶのを防止する働きがある。
また、立ち上がり部１８の下端には、係止爪１８Ａ，１８Ａが下方に突出するようにして設けられている。
【００１９】
一方、容器本体１４は、主に、底部２２と、この底部２２から上方へ向かう周壁２４とを備えた有底筒状に形成され、その開口部は底部２２よりも面積が広く形成されている。周壁２４には、一対の把手２４Ａ，２４Ａが上方へ延出して一体的に設けられ、持ち運びを容易に行うことができるよう配慮されている。
さらに、容器本体１４の周壁２４には、下方へ窪むようにして一対の係合部２４Ｂ，２４Ｂが形成されており、上蓋１２を容器本体１４に被せた場合に、容器本体１４の係合部２４Ｂ，２４Ｂに対し、上蓋１２の係止爪１８Ａ，１８Ａが嵌合することによって、上蓋１２を容器本体１４の所定位置に納めて位置決めするようになっている。
【００２０】
図５は、上蓋１２を外した容器本体１４の平面図であり、同図に示されるように、その底部２２は、平面視円形に形成された線香が立てられる容器側主要エリアＹであり、この容器側主要エリアＹの部分に、複数個の線香の受け部２６が設けられている。
図３（ｂ）にも示されるように、各々の受け部２６は、前述した挿入孔１６と同様に、平面視六角形状に形成されているとともに、下方にいくに従い、内径が小さくなる下すぼまりのテーパー状、且つ貫通していない凹状に形成され、その底の部分に線香Ｚの下端Ｚ１が接触するようになっている。
【００２１】
容器本体１４に形成されている受け部２６は、上蓋１２を容器本体１４に被せた場合に、平面的に略同一となる位置、つまり、本実施形態では挿入孔１６の略垂直下方の対応する位置に設けられている。
挿入孔１６と受け部２６とが、このような位置関係を有していることにより、図３（ｂ）に示されるように、使用される線香は、略垂直な状態となって燃焼時に落下する灰を上蓋１２の上蓋側主要エリアＸ内、若しくは、挿入孔１６から落下することにより容器本体１４内に止めることが可能となる。これにより、線香立て１０を清潔な状態で、且つ安全に使用することを可能ならしめている。
【００２２】
本実施形態の香炉１０を使用する場合は、図６に示されるように、金属製若しくは防火処理の施された素材からなる線香用香炉３０に収容して使用する。使用に際しては、上蓋１２を容器本体１４の所定位置に被せた状態で、挿入孔１６から火を付けた線香を下方へ挿通して、挿通した挿入孔１６に対応する受け部２６へ支持させて、線香Ｚを立てる。この際、線香Ｚは、前述した挿入孔１６，受け部２６間の位置関係により鉛直方向に立てられた状態となる。
【００２３】
線香の燃焼時、その灰は、上蓋側主要エリアＸへ、或いは、挿入孔１６から、容器本体１４内へ落下するが、上蓋１２には立ち上がり部１８，１８、縁部２０，２０が形成されていることから、上蓋側主要エリアＸから外側に飛ぶのを、ある程度防止することができるようになっている。本実施形態の線香立て１０は、線香を立ててお参りを行う各宗派共通の仏具として利用することが可能である。
【００２４】
本実施形態に係る線香立て１０では、線香を立てるための灰が不要となることから清潔な状態を維持し易く、又、使用後は線香用香炉３０とともに洗浄するだけで済むことから、使い勝手に優れるという長所がある。さらに、灰を使用しないことから、使用後に灰を篩いにかけるといった従来の線香立てのような手間が必要なくなる。
【００２５】
また、従来の金網部材を備えた線香立て（と比較した場合に、金網の黒ずみといった問題もなく、美観も同時に優れるというメリットを備えている。
加えて、本実施形態の線香立て１０は基本的に陶器で出来ていることから、燃焼に際し、香炉３０全体の温度上昇を抑制することができ、結果として火傷や火災といった不慮の事故を未然に防止することが可能である。
【００２６】
以上の本実施形態に係る線香立て１０によれば、安全性の向上を図る事が可能であるとともに、使用後の後始末や手入れを容易に行うことができ、使い勝手の向上に寄与する。
【産業上の利用可能性】
【００２７】
本考案によれば、葬儀や法要での使用や、自宅の仏壇に使用する仏具としての利用が可能である。
【符号の説明】
【００２８】
１０                          線香立て
１２                          上蓋
１４                          容器本体
１６                          挿入孔
１８                          立ち上がり部
１８Ａ                        係止爪
２０                          縁部
２２                          底部
２４Ａ                        把手
２４Ｂ                        係合部
２６                          受け部
３０                          線香用香炉
Ｘ                            上蓋側主要エリア
Ｙ                            容器側主要エリア
Ｚ                            線香
【図１】
0003209158.tif 000003
【図２】
0003209158.tif 000004
【図３】
0003209158.tif 000005
【図４】
0003209158.tif 000006
【図５】
0003209158.tif 000007
【図６】
0003209158.tif 000008
【手続補正書】
【提出日】平成29年1月3日(2017.1.3)
【手続補正１】
【補正対象書類名】実用新案登録請求の範囲
【補正対象項目名】全文
【補正方法】変更
【補正の内容】
【実用新案登録請求の範囲】
【請求項１】
有底筒状の容器本体と、該容器本体の開口部における定められた所定位置に被せられる着脱自在な上蓋と、を具備する線香立てであって、  
前記容器本体の底部に線香の下端部を支持する複数個の受け部が形成されているとともに、前記上蓋には、線香が差し込まれる挿入孔が設けられ、
該挿入孔は、該上蓋を該容器本体の所定位置に被せた場合に、該容器本体の前記受け部から、略鉛直上方へ延長した位置に設けられていることを特徴とする線香立て。
【請求項２】
前記容器本体における線香が位置する部分を容器側主要エリア、並びに上蓋における線香が位置する部分を上蓋側主要エリアとした場合に、各主要エリアは、平面視円形、若しくは平面視楕円形に形成されているとともに、これらの容器側主要エリア及び上蓋側主要エリアには、その外側から内側にかけて、複数個の前記挿入孔及び受け部が配列されていることを特徴とする請求項１に記載の線香立て。
【請求項３】
前記上蓋における前記上蓋側主要エリアの周囲には、上方へ張り出す立ち上がり部、又は、縁部が形成されていることを特徴とする請求項２に記載の線香立て。
【請求項４】
前記挿入孔は、その断面が、下すぼまりのテーパー状に形成されていることを特徴とする請求項１〜３のうち、いずれか１項に記載の線香立て。
【手続補正２】
【補正対象書類名】明細書
【補正対象項目名】００１０
【補正方法】変更
【補正の内容】
【００１０】
請求項３記載の考案は、上記２項において、前記上蓋における前記上蓋側主要エリアの周囲には、上方へ張り出す立ち上がり部、又は、縁部が形成されていることを特徴としている。